(57)【要約】【課題】  ＬＥＤ発光素子の直下の照度を犠牲にすることなく、側方からの視認性を向上できるＬＥＤ照明装置を簡単な構造で実現する。【解決手段】  ＬＥＤ照明装置において、ＬＥＤ発光素子２０および当該ＬＥＤ発光素子２０を搭載する筺体２１からなる照明装置本体２と、ＬＥＤ発光素子２０の直下を覆うことなく、筺体２１の側部２１ｂの側に配置され、ＬＥＤ発光素子２０から出射された光を筺体２１の側方に拡散するための拡散プレート部３１とを設ける。照明装置本体２は、ＬＥＤ発光素子２０からの出射光の照射側に透光性カバー３を有しており、拡散プレート部３１が透光性カバー３と一体に設けられている。【選択図】  図２
2013058316.tif 000002
【特許請求の範囲】
【請求項１】
ＬＥＤ照明装置であって、
ＬＥＤ発光素子および当該ＬＥＤ発光素子を搭載する筺体からなる照明装置本体と、
前記ＬＥＤ発光素子から出射された光を前記筺体の側方に拡散するための拡散プレートとを備え、
前記拡散プレートが、前記ＬＥＤ発光素子の直下を覆うことなく、前記筺体の側部の側に配置されている、
ことを特徴とするＬＥＤ照明装置。
【請求項２】
請求項１において、
前記拡散プレートが、前記ＬＥＤ発光素子からの出射光を前記筺体の側方に拡散透過させる拡散透過プレートである、
ことを特徴とするＬＥＤ照明装置。
【請求項３】
請求項１において、
前記拡散プレートが、前記ＬＥＤ発光素子からの出射光を前記筺体の側方に拡散反射させる拡散反射プレートである、
ことを特徴とするＬＥＤ照明装置。
【請求項４】
請求項１において、
前記照明装置本体が前記ＬＥＤ発光素子からの出射光の照射側に透光性カバーを有しており、前記拡散プレートが前記透光性カバーと一体に設けられている、
ことを特徴とするＬＥＤ照明装置。
【請求項５】
請求項１において、
前記拡散プレートが、前記筺体に着脱自在に設けられている、
ことを特徴とするＬＥＤ照明装置。
【請求項６】
請求項５において、
前記拡散プレートが係合凸部を有し、前記筺体が、前記拡散プレートの前記係合凸部が係脱自在に係合し得る係合溝部を有している、
ことを特徴とするＬＥＤ照明装置。
【発明の詳細な説明】
【技術分野】
【０００１】
本発明は、ＬＥＤ照明装置において、側方からの視認性を高めるための構造の改良に関する。
【背景技術】
【０００２】
照明装置として、例えば蛍光灯の場合、蛍光管のほぼ全周にわたって光を照射することが可能であるため、室内の照明として、下方（床面側）のみならず、側方を照らすのにも適している。このため、コンビニ等の店舗においては、店舗の外からも店舗内の照明を視認できることで、集客効果を発揮している。
【０００３】
その一方、発光ダイオード（ＬＥＤ：Light Emitting Diode）を用いたＬＥＤ照明灯は、蛍光灯に比べて、消費電力が低く、長寿命であるため、照明器具として最近注目されているが、一般に、指向性が高いため、ＬＥＤ発光素子単体では、側方への照射光が期待できない。このため、そのまま店舗の照明として用いても、店舗の外からの視認性が低く、従来の蛍光灯と同様の集客効果を期待できない。
【０００４】
ところで、特開２０１０−１７７１４１号公報には、ＬＥＤ発光素子から出射された光を側方に配光させるために、ＬＥＤ発光素子の発光面の直下に導光板を垂設し、ＬＥＤ発光素子から出射された光を導光板の端面から導光板内部に導いて、導光板の表面から光を側方に出射させるようにしたＬＥＤ照明構造が提案されている（同公報の図１参照）。
【発明の概要】
【発明が解決しようとする課題】
【０００５】
しかしながら、上記特開２０１０−１７７１４１号公報に記載のものでは、導光板として或る程度の厚みが必要であり、このように厚みのある板をＬＥＤ発光素子の発光面の直下に垂設することで、ＬＥＤ発光素子の直下領域（例えば店舗内の陳列棚の商品）の照度が低下したり、陳列棚の商品に不必要な影が発生したりする恐れがある。
【０００６】
本発明は、このような従来の実情に鑑みてなされたものであり、本発明が解決しようとする課題は、ＬＥＤ発光素子の直下の照度を犠牲にすることなく、側方からの視認性を向上できるＬＥＤ照明装置を簡単な構造で提供することにある。
【課題を解決するための手段】
【０００７】
上記課題を解決するため、本発明は、ＬＥＤ発光素子および当該ＬＥＤ発光素子を搭載する筺体からなる照明装置本体と、ＬＥＤ発光素子から出射された光を筺体の側方に拡散するための拡散プレートとを備え、拡散プレートが、ＬＥＤ発光素子の直下を覆うことなく、筺体の側部の側に配置されたＬＥＤ照明装置を提供している（請求項１参照）。
【０００８】
本発明においては、照明装置本体のＬＥＤ発光素子から出射された光は、筺体の側部の側に配置された拡散プレートにより、筺体の側方に拡散される。これにより、側方からの視認性を向上でき、照明装置から離れた場所からでもＬＥＤ照射光を視認できる。
【０００９】
しかも、この場合には、拡散プレートが、ＬＥＤ発光素子の直下を覆うことなく、筺体の側部の側に配置されるので、拡散プレートを設けることで、ＬＥＤ発光素子の直下の照度を犠牲にすることはない。なお、ここでいう「拡散」には、拡散透過と拡散反射（つまり乱反射）の二つの意味が含まれている。
【００１０】
本発明においては、拡散プレートが、ＬＥＤ発光素子からの出射光を筺体の側方に拡散透過させる拡散透過プレートである（請求項２参照）。この場合、拡散プレートにより拡散された光は、ＬＥＤ発光素子からの出射光が拡散プレートに照射される方向と同じ方向に照射されることになる。
【００１１】
本発明においては、拡散プレートが、ＬＥＤ発光素子からの出射光を前記筺体の側方に拡散反射させる拡散反射プレートである（請求項３参照）。この場合、拡散プレートにより拡散された光は、ＬＥＤ発光素子からの出射光が拡散プレートに照射される方向と逆方向に照射されることになる。
【００１２】
本発明においては、照明装置本体がＬＥＤ発光素子からの出射光の照射側に透光性カバーを有しており、拡散プレートが透光性カバーと一体に設けられている（請求項４参照）。この場合には、拡散プレートを透光性カバーと別個に設ける必要がないので、構造をさらに簡略化できるとともに、組立作業を簡略化できる。
【００１３】
本発明においては、拡散プレートが筺体に着脱自在に設けられている（請求項５参照）。この場合には、ＬＥＤ照明装置が設置される環境に応じて、適切な拡散プレートを選択できる。
【００１４】
本発明においては、拡散プレートが係合凸部を有し、筺体が、拡散プレートの係合凸部が係脱自在に係合し得る係合溝部を有している（請求項６参照）。この場合には、拡散プレートの筺体に対する着脱を容易に行える。
【発明の効果】
【００１５】
以上のように、本発明に係るＬＥＤ照明装置によれば、ＬＥＤ発光素子および当該ＬＥＤ発光素子を搭載する筺体からなる照明装置本体と、筺体の側部の側に配置され、ＬＥＤ発光素子から出射された光を筺体の側方に拡散するための拡散プレートとを設けたことにより、照明装置本体のＬＥＤ発光素子から出射された光は、筺体の側部の側に配置された拡散プレートにより、筺体の側方に拡散される。これにより、側方からの視認性を向上でき、照明装置から離れた場所からでもＬＥＤ照射光を視認できる。
【００１６】
しかも、この場合には、拡散プレートが、ＬＥＤ発光素子の直下を覆うことなく、筺体の側部の側に配置されるので、拡散プレートを設けることで、ＬＥＤ発光素子の直下の照度を犠牲にすることはない。
【図面の簡単な説明】
【００１７】
【図１】本発明の一実施例によるＬＥＤ照明装置の分解組立図である。
【図２】ＬＥＤ照明装置（図１）を構成する照明装置本体および透光性カバーの横断面概略図である。
【図３】図２の第１の変形例を示す図である。
【図４】図２の第２の変形例を示す図である。
【図５】図２の第３の変形例を示す図である。
【図６】図２の第４の変形例を示す図である。
【図７】図２の第５の変形例を示す図である。
【発明を実施するための形態】
【００１８】
以下、本発明の実施例を添付図面に基づいて説明する。
図１は、本発明の一実施例によるＬＥＤ照明装置を分解組立状態で示す全体斜視図であり、図２はその横断面概略図である。図２においては、図示の便宜上、ハッチングを省略して示している。
【００１９】
図１に示すように、本発明の一実施例によるＬＥＤ（Light Emitting Diode）照明装置１は、ＬＥＤ発光素子２０および当該ＬＥＤ発光素子２０を搭載する筺体２１からなる照明装置本体２と、照明装置本体２に着脱自在に装着され、ＬＥＤ発光素子２０からの出射光が照射される透光性カバー３とを有している。
【００２０】
ここでは、複数のＬＥＤ発光素子２０が直線状に配設されるとともに、筺体２１が略直方体形状を有する場合を例にとって示している。筺体２１は、ＬＥＤ発光素子２０が搭載されるＬＥＤ搭載面２１ａと、ＬＥＤ搭載面２１ａの幅方向両側において下方（図１下方）に垂設されかつ長手方向に延びる左右一対の側部２１ｂとを有している。筺体２１は、ＬＥＤ搭載面２１ａを上下方向に挿通する取付ネジ（図示せず）を介して、例えば天井面に設置される。また、ＬＥＤ照明装置１は、照明装置本体２の背面側に配置される電源ユニット４を有している。電源ユニット４は、取付プレート部材４０を介して、筺体２１の背面に取り付けられる。
【００２１】
透光性カバー３は、例えば、ポリカーボネート樹脂やアクリル樹脂等の樹脂製であって、図２に示すように、ＬＥＤ発光素子２０に対向配置され、ＬＥＤ発光素子２０から出射された光を下方（床面側）に透光させるための例えば透明の主透光部３０と、主透光部３０の左右両側に連接され、ＬＥＤ発光素子２０から出射された光を筺体２１の側方に拡散（拡散透過）させるための左右一対の拡散プレート部３１と、各拡散プレート部３１の上端に連接され、照明装置本体２の筺体２１の各側部２１ｂの内壁面に係脱自在に係合する左右一対の係合部３２とから構成されている。各拡散プレート部３１は、図２に示すように、ＬＥＤ発光素子２０の直下を覆ってはいない。
【００２２】
拡散プレート部３１は、ＬＥＤ発光素子２０からの出射光が照射される内面（第１の主面）と、内面から当該拡散プレート部３１の厚み方向に隔てられ、当該拡散プレート部３１からの拡散光が放出される外面（第２の主面）とを有している。拡散プレート部３１の形成の仕方としては、例えば、その内面および（または）外面を乳白色に着色する場合のほか、内面および（または）外面に、乳白色のシートを貼付したり、所定のパターンを印刷したり、プリズムカット等の表面加工を施したりすることが考えられる。さらに、拡散プレート部３１の内部に拡散性粒子を含有させるようにしてもよい。なお、プリズムカットとは、ここでは、表面に例えばＶ字状等の多数の溝を形成することにより、表面に多数の凹凸形状を形成する加工全般を意味している。
【００２３】
ＬＥＤ発光素子２０から出射された光は、透光性カバー３の主透光部３０を透過して下方（床面側）に照射されるとともに、透光性カバー３の拡散プレート部３１の内面および（または）外面を介して、あるいは拡散プレート部３１の内部の拡散性粒子を介して、筺体２１の側方に拡散（拡散透過）される。これにより、側方からの視認性を向上でき、ＬＥＤ照明装置から離れた場所からでもＬＥＤ照射光を視認できる。
【００２４】
この場合には、拡散プレート部３１による拡散作用を利用して、ＬＥＤ発光素子２０からの出射光を側方に照射するように構成されているので、装置全体の構造を簡略化できる。しかも、この場合には、拡散プレート部３１が、ＬＥＤ発光素子２０の直下を覆うことなく、筺体２１の側部２１ｂの側に配置されるので、拡散プレート部３１を設けることで、ＬＥＤ発光素子２０の直下の照度を犠牲にすることはない。さらに、この場合には、拡散プレート部３１が透光性カバー３と一体に設けられるので、拡散プレート部３１を透光性カバー３と別個に設ける必要がなく、構造をさらに簡略化できるとともに、組立作業を簡略化できる。
【００２５】
なお、各拡散プレート部３１については、必ずしも左右双方の拡散プレート部３１に拡散機能を持たせる必要はなく、少なくとも店舗外の側（つまり道路側）の拡散プレート部３１が拡散機能を有していればよい。例えば、図２中、右側が店舗外の側であり、左側が店舗内の壁側である場合には、右側の拡散プレート部３１のみが乳白色に着色等されていれば十分であり、左側の拡散プレート部３１に関しては透明でもよい。
【００２６】
また、筺体２１のＬＥＤ搭載面２１ａに直線状に配設される各ＬＥＤ発光素子２０については、例えば、発光色が白色のＬＥＤ発光素子と発光色が温白色のＬＥＤ発光素子とを組み合わせ、夏場は白色のＬＥＤ発光素子の輝度を高め、また冬場は温白色のＬＥＤ発光素子の輝度を高めることにより、各色光の混合光の色相を変え、拡散プレート部３１からの拡散光の色相を季節に応じて変えるようにしてもよい。
【００２７】
次に、本発明の各種変形例について、図３ないし図７を用いて説明する、なお、図３ないし図７中、前記実施例と同一符号は同一または相当部分を示している。
【００２８】
〔第１の変形例〕
図３は、本発明の第１の変形例を示している。前記実施例では、透光性カバー３の横断面形状が、上下方向の高さが低い扁平な多角形形状を有し、拡散プレート部３１が筺体２１のＬＥＤ搭載面２１ａに対して傾斜する傾斜面として設けられている場合を示したが、この第１の変形例では、透光性カバー３の横断面形状が、上下方向の高さが比較的高い多角形形状を有し、拡散プレート部３１Ａが筺体２１のＬＥＤ搭載面２１ａに概略直交する直交面として設けられている。
【００２９】
拡散プレート部３１Ａは、この例では、その内面（第１の主面）および／または外面（第２の主面）が乳白色に着色されており、または、内面および（または）外面に乳白色のシートが貼付されている。
【００３０】
この場合においても、前記実施例と同様に、ＬＥＤ発光素子２０から出射された光は、透光性カバー３の主透光部３０を透過して下方（床面側）に照射されるとともに、透光性カバー３の拡散プレート部３１Ａの内面および（または）外面を介して、筺体２１の側方に拡散（拡散透過）される（図３中の一点鎖線参照）。これにより、側方からの視認性を向上でき、ＬＥＤ照明装置から離れた場所からでもＬＥＤ照射光を視認できる。
【００３１】
しかも、拡散プレート部３１Ａが、ＬＥＤ発光素子２０の直下を覆うことなく、筺体２１の側部２１ｂの側に配置されるので、拡散プレート部３１Ａを設けることで、ＬＥＤ発光素子２０の直下の照度を犠牲にすることはない。さらに、拡散プレート部３１Ａが透光性カバー３と一体に設けられるので、拡散プレート部３１Ａを透光性カバー３と別個に設ける必要がなく、構造をさらに簡略化できるとともに、組立作業を簡略化できる。
【００３２】
この場合には、拡散プレート部３１Ａの面積を大きくできるので、ＬＥＤ照明装置を側方から見たときの視認性をさらに向上できる。
【００３３】
なお、この場合においても、左右いずれの側の拡散プレート部３１Ａに着色やシート貼付等の拡散処理が施されるかは、店舗外の側がいずれの側であるか、すなわち、店舗に対する道路付けの状態（店舗のいずれの側が道路に面しているかということ）に応じて適宜決定される。
【００３４】
〔第２の変形例〕
図４は、本発明の第２の変形例を示している。この第２の変形例においても、前記第１の変形例と同様に、透光性カバー３の横断面形状が、上下方向の高さが比較的高い多角形形状を有し、拡散プレート部３１Ｂが筺体２１のＬＥＤ搭載面２１ａに概略直交する直交面として設けられている。
【００３５】
拡散プレート部３１Ｂは、この例では、その外面（第２の主面）にプリズムカット等の表面加工が施されているが、内面（第１の主面）または内外面双方に表面加工を施すようにしてもよい。
【００３６】
この場合においても、前記第１の変形例と同様に、ＬＥＤ発光素子２０から出射された光は、透光性カバー３の主透光部３０を透過して下方（床面側）に照射されるとともに、透光性カバー３の拡散プレート部３１Ｂの外面を介して、筺体２１の側方に拡散（拡散透過）される（図４中の一点鎖線参照）。これにより、側方からの視認性を向上でき、ＬＥＤ照明装置から離れた場所からでもＬＥＤ照射光を視認できる。
【００３７】
しかも、拡散プレート部３１Ｂが、ＬＥＤ発光素子２０の直下を覆うことなく、筺体２１の側部２１ｂの側に配置されるので、拡散プレート部３１Ｂを設けることで、ＬＥＤ発光素子２０の直下の照度を犠牲にすることはない。さらに、拡散プレート部３１Ｂが透光性カバー３と一体に設けられるので、拡散プレート部３１Ｂを透光性カバー３と別個に設ける必要がなく、構造をさらに簡略化できるとともに、組立作業を簡略化できる。
【００３８】
この場合には、拡散プレート部３１Ｂの面積を大きくできるので、ＬＥＤ照明装置１を側方から見たときの視認性をさらに向上できる。
【００３９】
なお、この場合においても、左右いずれの側の拡散プレート部３１Ｂに表面加工が施されるかは、店舗外の側がいずれの側に配置されるかに応じて適宜決定される。
【００４０】
〔第３の変形例〕
前記実施例および前記第１、第２の変形例では、透光性カバー３の一部の面が拡散プレート部を構成した例を示したが、本発明の適用はこれに限定されない。図５は、本発明の第３の変形例を示している。
【００４１】
この第３の変形例では、透光性カバー３は、半円状の横断面形状を有しており、全体が透明である。拡散プレート部３１Ｃは、透光性カバー３の両端の各係合部３２から下方に垂設されており、拡散プレート部３１Ｃの上端が係合部３２に一体に連接されている。
【００４２】
拡散プレート部３１Ｃは、この例では、その内面（第１の主面）および／または外面（第２の主面）が乳白色に着色されており、または、内面および（または）外面に乳白色のシートが貼付されている。
【００４３】
この場合においても、ＬＥＤ発光素子２０から下方に出射された光は、透光性カバー３の主透光部３０を透過して下方（床面側）に照射される。また、ＬＥＤ発光素子２０から斜め下方に出射された光は、透光性カバー３を透過して、拡散プレート部３１Ｃの内面および（または）外面を介して、筺体２１の側方に拡散（拡散透過）される（図５中の一点鎖線参照）。これにより、側方からの視認性を向上でき、ＬＥＤ照明装置から離れた場所からでもＬＥＤ照射光を視認できる。
【００４４】
しかも、拡散プレート部３１Ｃが、ＬＥＤ発光素子２０の直下を覆うことなく、筺体２１の側部２１ｂの側に配置されるので、拡散プレート部３１Ｃを設けることで、ＬＥＤ発光素子２０の直下の照度を犠牲にすることはない。さらに、拡散プレート部３１Ｃが透光性カバー３と一体に設けられるので、拡散プレート部３１Ｃを透光性カバー３と別個に設ける必要がなく、構造をさらに簡略化できるとともに、組立作業を簡略化できる。
【００４５】
なお、この場合においても、左右いずれの側の拡散プレート部３１Ｃに着色やシート貼付等の拡散処理が施されるかは、店舗外の側がいずれの側に配置されるかに応じて適宜決定される。
【００４６】
図５の例では、透光性カバー３の左右両側に拡散プレート部３１Ｃを設けているが、拡散プレート部３１Ｃは、透光性カバー３の左右いずれか一方の側にのみ設けるようにしてもよい。この場合、店舗に対する道路付けの状態に応じて、透光性カバー３の左右の向きを適宜変えて筺体２１に取り付けるようにすればよい。
【００４７】
〔第４の変形例〕
前記実施例ならびに前記第１ないし第３の変形例では、拡散プレート部３１、３１Ａ、３１Ｂ、３１Ｃが透光性カバー３と一体に設けられた例を示したが、本発明の適用はこれに限定されない。図６は、本発明の第４の変形例を示している。
【００４８】
図６においては、拡散プレート部３１Ｄが透明の透光性カバー３と別個に設けられている。拡散プレート部３１Ｄは、ＬＥＤ発光素子２０からの出射光が照射される拡散部３１Ｄ１と、拡散部３１Ｄ１の上端に一体に連接された球状の係合凸部３１Ｄ２とを有している。一方、筺体２１の一方の側部２１ｂには、拡散プレート部３１Ｄの係合凸部３１Ｄ２が係脱自在に係合し得る係合溝部２１ｂ２が形成されている。係合溝部２１ｂ２は、図６の紙面垂直方向に延びており、筺体２１の前後端面に開口している。係合凸部３１Ｄ２の係合溝部２１ｂ２への挿脱は、筺体２１の前後端面のいずれかの側から行われる。これにより、拡散プレート部３１Ｄは、筺体２１に着脱自在に設けられている。また、拡散プレート部３１Ｄが配置される側は、店舗外の側に対応している。
【００４９】
拡散プレート部３１Ｄは、この例では、その内面（第１の主面）および／または外面（第２の主面）が乳白色に着色されており、または、内面および（または）外面に乳白色のシートが貼付されている。
【００５０】
この場合においても、ＬＥＤ発光素子２０から出射された光は、透光性カバー３の主透光部３０を透過して下方（床面側）に照射されるとともに、図６中の一点鎖線に示すように、透光性カバー３を透過して拡散プレート部３１Ｄに照射され、拡散部３１Ｄ１の内面および（または）外面を介して、筺体２１の側方に拡散(拡散透過)される（なお、同図中の二点鎖線については後述）。これにより、側方からの視認性を向上でき、ＬＥＤ照明装置から離れた場所からでもＬＥＤ照射光を視認できる。
【００５１】
しかも、拡散プレート部３１Ｄが、ＬＥＤ発光素子２０の直下を覆うことなく、筺体２１の側部２１ｂの側に配置されるので、拡散プレート部３１Ｄを設けることで、ＬＥＤ発光素子２０の直下の照度を犠牲にすることはない。さらに、拡散プレート部３１Ｄが透光性カバー３と別個に設けられるので、ＬＥＤ照明装置が設置される環境に応じて、適切な拡散処理が施された適切な大きさ・形状の拡散プレートを選択できる。
【００５２】
〔第５の変形例〕
前記第４の変形例では、拡散プレート部３１Ｄが筺体２の側部２１ｂに設けられた例を示したが、本発明の適用はこれに限定されない。図７は、本発明の第５の変形例を示している。
【００５３】
図７においては、拡散プレート部３１Ｅが、ＬＥＤ照明装置の設置面（天井面）Ｃにネジ止め固定されている。拡散プレート部３１Ｅは、長手方向に延びる側面視Ｌ字状の部材であって、ＬＥＤ発光素子２０から照射された光を側方に拡散する拡散部３１Ｅ１と、拡散部３１Ｅ１と一体に連接され、設置面Ｃに取り付けられる取付部３１Ｅ２とを有している。
【００５４】
拡散プレート部３１Ｅの拡散部３１Ｅ１は、この例では、その内面（第１の主面）および／または外面（第２の主面）が乳白色に着色されており、または、内面および（または）外面に乳白色のシートが貼付されている。
【００５５】
この場合においても、ＬＥＤ発光素子２０から出射された光は、透光性カバー３の主透光部３０を透過して下方（床面側）に照射されるとともに、図７中の一点鎖線に示すように、透光性カバー３を透過して拡散プレート部３１Ｅに照射され、拡散部３１Ｅ１の内面および（または）外面を介して、筺体２１の側方に拡散（拡散透過）される（なお、同図中の二点鎖線については後述）。これにより、側方からの視認性を向上でき、ＬＥＤ照明装置から離れた場所からでもＬＥＤ照射光を視認できる。
【００５６】
しかも、拡散プレート部３１Ｅが、ＬＥＤ発光素子２０の直下を覆うことなく、筺体２１の側部２１ｂの側に配置されるので、拡散プレート部３１Ｅを設けることで、ＬＥＤ発光素子２０の直下の照度を犠牲にすることはない。さらに、拡散プレート部３１Ｅが透光性カバー３と別個に設けられるので、ＬＥＤ照明装置が設置される環境に応じて、適切な拡散処理が施された適切な大きさ・形状の拡散プレートを選択できる。
【００５７】
〔第６の変形例〕
前記実施例および前記第１ないし第５の変形例では、ＬＥＤ照明装置１の発光時の側方からの視認性を向上させるために、ＬＥＤ発光素子２０から出射された光を筺体２１の側方に拡散（拡散透過）させる拡散プレート部３１、３１Ａ〜３１Ｅを設けた例を示したが、本発明の適用はこれに限定されない。
【００５８】
図６および図７に示した各変形例において、拡散透過プレート部として設けた各部材３１Ｄおよび３１Ｅをそれぞれ拡散反射プレート部として構成するようにしてもよい。この場合には、拡散反射プレート部３１Ｄ、３１Ｅの各拡散反射部３１Ｄ１、３１Ｅ１は、例えば、内面（または外面）が反射率の高い白色に着色されており、あるいは内面（または外面）に反射率の高い白色のシートが貼付されている。
【００５９】
このような構成により、ＬＥＤ発光素子２０から出射された光は、図６および図７中の二点鎖線で示すように、拡散反射プレート部３１Ｄ、３１Ｅの各拡散反射部３１Ｄ１、３１Ｅ１で反射されて、各図の左方に照射される。これにより、各図の左方からの視認性を向上できる。したがって、この場合には、各図中、左側が店舗外の側であり、右側が店舗内の壁側である。また、この場合、各図において、透光性カバー３の上下方向の高さを低くしたり、あるいは、透光性カバー３を省略したりすることにより、反射プレート部３１Ｄ、３１Ｅからの反射光の視認性をさらに向上させるようにしてもよい。
【００６０】
上述した前記実施例および前記第１〜第６の変形例によれば、ＬＥＤ発光素子２０および当該ＬＥＤ発光素子２０を搭載する筺体２１からなる照明装置本体２と、照明装置本体２の筺体２１の側部２１ｂの側に配置され、ＬＥＤ発光素子２０から出射された光を筺体２１の側方に拡散透過（または拡散反射）するための拡散透過プレート部３１、３１Ａ〜３１Ｅ（または拡散反射プレート部３１Ｄ、３１Ｅ）とを設けたことにより、ＬＥＤ発光素子２０から出射された光は、照明装置本体２の筺体２１の側部２１ｂの側に配置された拡散透過プレート部３１、３１Ａ〜３１Ｅ（または拡散反射プレート部３１Ｄ、３１Ｅ）により、筺体２１の側方に拡散透過（または拡散反射）される。これにより、ＬＥＤ照明装置１の発光時の側方からの視認性を向上でき、ＬＥＤ照明装置１から離れた場所からでもＬＥＤ照射光を視認できる。
【００６１】
この場合には、ＬＥＤ発光素子２０からの出射光が拡散透過プレート部３１、３１Ａ〜３１Ｅによる拡散透過作用または拡散反射プレート部３１Ｄ、３１Ｅによる拡散反射作用を利用して側方に照射されるように構成されているので、装置全体の構造を簡略化できる。しかも、この場合には、拡散透過プレート部３１、３１Ａ〜３１Ｅまたは拡散反射プレート部３１Ｄ、３１Ｅが、ＬＥＤ発光素子２０の直下を覆うことなく、筺体２１の側部２１ｂの側に配置されるので、拡散透過プレート部３１、３１Ａ〜３１Ｅまたは拡散反射プレート部３１Ｄ、３１Ｅを設けることで、ＬＥＤ発光素子２０の発光面直下の照度を犠牲にすることはない。
【００６２】
なお、前記実施例および前記第１〜第６の変形例においては、拡散透過（または拡散反射）プレート部を筺体２１の長手方向の側部２１ｂの側に配置した例を示したが、本発明においては、拡散透過（または拡散反射）プレート部は、筺体２１の長手方向と直交する短手方向の側部の側に配置するようにしてもよい。このとき、拡散透過（または拡散反射）プレート部は、透光性カバー３と一体に設けても、また別個に設けてもよい。
【００６３】
この場合においても、前記実施例および前記第１〜第６の変形例と同様の作用効果を奏する。すなわち、ＬＥＤ発光素子２０から出射された光は筺体２１の短手方向の側部の側方に拡散透過（または拡散反射）され、これにより、ＬＥＤ照明装置１の発光時の側方からの視認性を向上でき、さらに、拡散透過（または拡散反射）プレート部がＬＥＤ発光素子２０の直下を覆うことなく筺体２１の短手方向の側部の側に配置されることにより、ＬＥＤ発光素子２０の発光面直下の照度を犠牲にすることはない。
【産業上の利用可能性】
【００６４】
本発明は、側方からの視認性の向上を簡単な構造で実現するためのＬＥＤ照明装置に好適である。
【符号の説明】
【００６５】
１：  ＬＥＤ照明装置
２：  照明装置本体
２０：  ＬＥＤ発光素子
２１：  筺体
２１ｂ：  側部
２１ｂ２：  係合溝部
３：  透光性カバー
３１、３１Ａ〜３１Ｅ：  拡散（透過）プレート部
３１Ｄ、３１Ｅ：  拡散（反射）プレート部
３１Ｄ２：  係合凸部
【先行技術文献】
【特許文献】
【００６６】
【特許文献１】特開２０１０−１７７１４１号公報（図１参照）
【図１】
2013058316.tif 000003
【図２】
2013058316.tif 000004
【図３】
2013058316.tif 000005
【図４】
2013058316.tif 000006
【図５】
2013058316.tif 000007
【図６】
2013058316.tif 000008
【図７】
2013058316.tif 000009